(57)【要約】      （修正有）【課題】コネクタハウジングのガタつきをなくすことで、端子と基板との間の断線を防止することのできる基板用コネクタを提供する。【解決手段】コネクタハウジング１０の案内溝１４内に形成される前縁側係合部１５と、固定部材２０の案内部２２に形成される前縁側係合受部２４とを係合させつつ、コネクタハウジング１０の収容溝１３内に形成される後縁側係合部１６と、固定部材２０に形成される後縁側係合受部２５とを係合させることで、コネクタハウジング１０の高さ方向のガタつきを解消する。【選択図】図３
2010080322.tif 000002
【特許請求の範囲】
【請求項１】
回路基板上に面して配置されるコネクタハウジングと、該コネクタハウジングと係合可能に形成された固定部材とを備え、該固定部材を該コネクタハウジングと係合しつつ、該回路基板上に固定されることで、該コネクタハウジングを回路基板上に固定する基板用コネクタであって、
前記コネクタハウジングの対向する側面のそれぞれに該コネクタハウジングの高さ方向に沿って形成される収容溝と、
該収容溝の側壁に当該高さ方向に沿って形成される案内溝と、
該案内溝内に形成される前縁側係合部と、
該収容溝内に形成される後縁側係合部と、
前記固定部材に板状部材からなり、該収容溝内をスライド可能に形成された本体部と、
該本体部の幅方向に突設され、且つ該案内溝内をスライド可能に形成された案内部と、
該本体部のスライド方向の一端に設定される固定部と、
該案内部に該前縁側係合部と係合可能に形成された前縁側係合受部と、
該本体部に該前縁側係合部と該前縁側係合受部とが係合した状態で該後縁側係合部と係合可能に形成された後縁側係合受部とを備えたことを特徴とする基板用コネクタ。
【請求項２】
請求項１に記載の基板用コネクタであって、
前記前縁側係合部は前記案内溝内の前記固定部材挿入方向の前端部に、
前記後縁側係合部は前記収容溝内の前記固定部材挿入方向の後端部に、
前記前縁側係合受部は前記案内部の前端側端縁に、
前記後縁側係合受部は前記本体部の後端側端縁にそれぞれ形成されたことを特徴とする基板用コネクタ。
【発明の詳細な説明】
【技術分野】
【０００１】
本発明は、回路基板上に取り付けられる基板用コネクタに関するものである。
【背景技術】
【０００２】
この種の基板用コネクタの例が、例えば、特許文献１において示されている。図６は特許文献１に記載された従来の基板用コネクタの後方からの斜視図である。
【０００３】
この基板用コネクタ１０１は、図６に示すように、前部に相手コネクタと嵌合する嵌合口（図示せず）を有する樹脂製のコネクタハウジング１１０と、コネクタハウジング１１０の後面１１３の端子圧入孔１１２に後方から圧入して固定された多数の金属製の端子１３０と、コネクタハウジング１１０と係合しつつ、回路基板（図示せず）上に半田付けされることで、コネクタハウジング１１０を回路基板上に固定する金属製の固定金具１２０とから構成されている。
【０００４】
固定金具１２０は、コネクタハウジング１１０に設けられたスリット１１４に、コネクタハウジング１１０上方から挿入され、スリット１１４の底部に当接する。そして、スリット１１４の底部に当接した状態で、固定金具１２０は回路基板上に半田付けされている。
【特許文献１】特開２００７−５９０９５号公報
【発明の開示】
【発明が解決しようとする課題】
【０００５】
ところで、この種の基板用コネクタ１０１では、コネクタハウジング１１０と固定金具１２０とが別部材で構成されているため、製造公差の都合上、固定金具１２０を回路基板上に固定した際に、コネクタハウジング１１０と回路基板との間に生じる隙間をなくすことができない。また、固定金具１２０を回路基板上に固定した際に、固定金具１２０がスリット１１４の底部に当接するため、コネクタハウジング１１０が回路基板から離れる方向へは規制されているが、コネクタハウジング１１０が回路基板に向かう方向へは規制されていない。このため、相手側コネクタハウジングを装着した際に、コネクタハウジング１１０がガタつき、端子１３０の回路基板との接続部分に応力が集中し、断線するおそれがあった。
【０００６】
本発明は、上記事情を考慮し、コネクタハウジングのガタつきをなくすことで、端子と基板との間の断線を防止することのできる基板用コネクタを提供することを目的とする。
【課題を解決するための手段】
【０００７】
請求項１の発明は、回路基板上に面して配置されるコネクタハウジングと、該コネクタハウジングと係合可能に形成された固定部材とを備え、該固定部材を該コネクタハウジングと係合しつつ、該回路基板上に固定されることで、該コネクタハウジングを回路基板上に固定する基板用コネクタであって、前記コネクタハウジングの対向する側面のそれぞれに該コネクタハウジングの高さ方向に沿って形成される収容溝と、該収容溝の側壁に当該高さ方向に沿って形成される案内溝と、該案内溝内に形成される前縁側係合部と、該収容溝内に形成される後縁側係合部と、前記固定部材に板状部材からなり、該収容溝内をスライド可能に形成された本体部と、該本体部の幅方向に突設され、且つ該案内溝内をスライド可能に形成された案内部と、該本体部のスライド方向の一端に設定される固定部と、該案内部に該前縁側係合部と係合可能に形成された前縁側係合受部と、該本体部に該前縁側係合部と該前縁側係合受部とが係合した状態で該後縁側係合部と係合可能に形成された後縁側係合受部とを備えたことを特徴としている。
【０００８】
請求項２の発明は、請求項１に記載の基板用コネクタであって、前記前縁側係合部は前記案内溝内の前記固定部材挿入方向の前端部に、前記後縁側係合部は前記収容溝内の前記固定部材挿入方向の後端部に、前記前縁側係合受部は前記案内部の前端側端縁に、前記後縁側係合受部は前記本体部の後端側端縁にそれぞれ形成されたことを特徴としている。
【発明の効果】
【０００９】
請求項１の発明によれば、前縁側係合部と前縁側係合受部とが係合した状態で、後縁側係合部と後縁側係合受部とが係合する構成であることで、回路基板上に固定された状態で、コネクタハウジングの高さ方向へのガタつきが解消され、端子と回路基板との間の断線を防止することができる。
【００１０】
請求項２の発明によれば、案内溝内の固定部材挿入方向の前端部に前縁側係合部を、収容溝内の固定部材挿入方向の後端部に後縁側係合部を、案内部の前端側端縁に前縁側係合受部を、本体部の後端側端縁に後縁側係合受部をそれぞれ形成することで、構成を複雑にすることなく、各係合部、および係合受部を配置できるので、製造コストを増大させることなく、ガタつきを解消することができる。
【発明を実施するための最良の形態】
【００１１】
以下、本発明の一実施形態を図面に基づいて説明する。図１〜図５は本発明の一実施形態を示し、図１は回路基板上に設置された基板コネクタを示す前方からの斜視図、図２は回路基板上に設置された基板コネクタを示す前方からの斜視図、図３は図１のＡ部の分解した様子を示す要部拡大図、図４は図１のＡ部の要部拡大図、図５は図４のＢ−Ｂ線に沿う断面図である。
【００１２】
図１〜図５に示すように、この実施形態の基板用コネクタ１は、樹脂材によって略直方体形状に形成されたコネクタハウジング１０と、金属で形成された端子３０と、板状の金属材によって形成された固定部材２０とから構成されている。
【００１３】
コネクタハウジング１０には、前面に開口し、前方から相手コネクタ（図示せず）が嵌合される嵌合口１１と、後面１０ｃに多数の端子孔１２を備え、これら端子孔１２には端子３０が挿入配置されている。また、コネクタハウジング１０には、対向する側面１０ｄのそれぞれにコネクタハウジング１０の高さ方向（図中の上下方向）に沿って形成される収容溝１３と、この収容溝１３の側壁１３ａに高さ方向に沿って形成される案内溝１４とが形成されている。なお、収容溝１３は、コネクタハウジング１０の上面１０ａと底面１０ｂを貫通するように形成されているが、案内溝１４は、上面１０ａに貫通はしているものの、案内溝１４内に形成される前縁側係合部１５によって、底面１０ｂには貫通しないように設定されている。また、収容溝１３の底壁１３ｂの上面１０ａ側縁部には、直方体形状に突出する後縁側係合部１６が形成されている。
【００１４】
固定部材２０には、板状部材からなり、収容溝１３内をスライド可能に形成された本体部２１と、本体部２１の幅方向に突設されて本体部２１とともに略Ｔ字形状を形成するとともに、案内溝１４内をスライド可能に形成された案内部２２と、本体部２１のスライド方向の後端に設定され、断面略Ｌ字状に屈曲形成された固定部２３とから構成されている。また、案内部２２のスライド方向前方に位置する前端側端縁に、前縁側係合部１５と係合可能に前縁側係合受部２４が設定され、本体部２１のスライド方向後方に位置する後端側端縁に、後縁側係合部１６と係合可能に後縁側係合受部２５が設定されている。
【００１５】
次に、コネクタハウジング１０に固定部材２０を組付ける手順を説明する。まず、図３に示すように、固定部材２０が収容溝１３に図の上方から下方へ向かって挿入される。そして、案内溝１４内に案内部２２がスライドする。この際に、本体部２１が撓んで、後縁側係合部１６に乗上げる。本体部２１が後縁側係合部１６を乗越えたところで、後縁側係合部１６と本体部２１の後縁側係合受部２５とが係合し、同時に、案内溝１４内の前縁側係合部１５と案内部２２の前縁側係合受部２４とが係合する（図４、図５参照）。前縁側係合部１５と前縁側係合受部２４とが係合しつつ、後縁側係合部１６と後縁側係合受部２５とが係合することで、固定部材２０は、図の上下方向にガタつくことなく固定される。
【００１６】
基板用コネクタ１は、上記のようにコネクタハウジング１０に固定部材２０を組付け、さらに所定の端子孔１２に端子３０を挿入した状態で、回路基板４０上に配置され、固定部２３を端子３０とともに半田付けすることで、回路基板４０上に固定される。
【００１７】
上記構成により、前縁側係合部１５と前縁側係合受部２４とが係合した状態で、後縁側係合部１６と後縁側係合受部２５とが係合する構成であることで、回路基板４０上に固定された状態で、コネクタハウジング１０の高さ方向へのガタつきが解消され、端子３０と回路基板４０との間の断線を防止することができる。
【００１８】
また、案内溝１４内の固定部材挿入方向の前端部に前縁側係合部１５を、収容溝１３内の固定部材挿入方向の後端部に後縁側係合部１６を、案内部２２の前端側端縁に前縁側係合受部２４を、本体部２１の後端側端縁に後縁側係合受部２５をそれぞれ形成することで、構成を複雑にすることなく、各係合部、および係合受部を配置できるので、製造コストを増大させることなく、ガタつきを解消することができる。
【００１９】
以上、本発明の好適な実施形態について説明したが、本発明は上記実施形態には限定されず、種々の変形が可能である。例えば、上記実施形態では、固定部材２０の本体部２１が撓んで後縁側係合部１６を乗越え、係合する構成であるが、後縁側係合部１６を可撓腕などによって収容溝１３内に出没可能に設定し、後縁側係合受部２５と係合する構成であっても同様の作用効果が得られる。また、上記実施形態では、コネクタハウジング１０の上方から固定部材２０を挿入し、案内溝１４内を案内部２２がスライドし、各係合部と各係合受部とを係合させる構成であるが、コネクタハウジング下方から固定部材を挿入し、係合部に固定部材を係合させる構成であっても同様の作用効果が得られる。さらに、上記実施形態は、固定部材２０の挿入方向後端縁で後縁側係合部１６と後縁側係合受部２５を係合させる構成であるが、固定部材２０の本体部２１に矩形孔を設けるなど別の箇所に前縁側係合受部、および後縁側係合受部を設けて前縁側係合部、および後縁側係合部と係合させる構成であっても同様の作用効果が得られる。
【図面の簡単な説明】
【００２０】
【図１】本発明の一実施形態を示し、回路基板上に設置された基板コネクタを示す前方からの斜視図である。
【図２】本発明の一実施形態を示し、回路基板上に設置された基板コネクタを示す前方からの斜視図である。
【図３】本発明の一実施形態を示し、図１のＡ部の分解した様子を示す要部拡大図である。
【図４】本発明の一実施形態を示し、図１のＡ部の要部拡大図である。
【図５】本発明の一実施形態を示し、図４のＢ−Ｂ線に沿う断面図である。
【図６】従来の基板用コネクタの後方からの斜視図である。
【符号の説明】
【００２１】
１…基板用コネクタ
１０…コネクタハウジング
１０ｄ…側面
１３…収容溝
１３ａ…側壁
１４…案内溝
１５…前縁側係合部
１６…後縁側係合部
２０…固定部材
２１…本体部
２２…案内部
２３…固定部
２４…前縁側係合受部
２５…後縁側係合受部
４０…回路基板
【図１】
2010080322.tif 000003
【図２】
2010080322.tif 000004
【図３】
2010080322.tif 000005
【図４】
2010080322.tif 000006
【図５】
2010080322.tif 000007
【図６】
2010080322.tif 000008